(57)【要約】      （修正有）【課題】ロック時の使用感に優れ、使用に係る外観の品位が良いロック機構を備えたレンズフードを提供する。【解決手段】レンズ鏡筒に着脱されるレンズフード２であって、複数のガイドを有する操作部材と、前記ガイドが摺動可能に係合する複数のガイド部を有する固定側部材と、前記操作部材と連動する規制部材と、前記規制部材を付勢するコイルバネと、を有し、前記操作部材が押し込まれることで前記規制部材が移動し、前記規制部材が前記コイルバネの付勢力により前記レンズ鏡筒１０に突き当たることで光軸周りの回転規制を行うことを特徴とした。【選択図】図１
2020042109.tif 000002
【特許請求の範囲】
【請求項１】
レンズ鏡筒に着脱されるレンズフードであって、
複数のガイドを有する操作部材と、
前記ガイドが摺動可能に係合する複数のガイド部を有する固定側部材と、
前記操作部材と連動する規制部材と、
前記規制部材を付勢するコイルバネと、を有し、
前記操作部材が押し込まれることで前記規制部材が移動し、前記規制部材が前記コイルバネの付勢力により前記レンズ鏡筒に突き当たることで光軸周りの回転規制を行うことを特徴とするレンズフード。
【請求項２】
前記操作部材は長孔部を有し、前記規制部材は軸部を有し、前記軸部は前記長孔部に挿入されることを特徴とする請求項１に記載のレンズフード。
【請求項３】
前記操作部材を付勢するロックバネを有し、前記ロックバネは前記固定側部材に保持されることを特徴とする請求項１又は請求項２に記載のレンズフード。
【請求項４】
前記ロックバネは前記操作部材を前記コイルバネと略反対方向に常に付勢することを特徴とする請求項１乃至請求項３のいずれかに記載のレンズフード。
【発明の詳細な説明】
【技術分野】
【０００１】
本発明は、レンズ鏡筒に装着されるレンズフードに関する。
【背景技術】
【０００２】
従来より、交換レンズに装着されるレンズフードには、ロック機構を備えたものが多く知られている。このような機構を備えることで、不意の脱落の防止や、装着部材のガタツキの抑制といった効果が発揮される。
【０００３】
レンズフードのロック機構として、例えば特許文献１が挙げられる。特許文献１には、ロックレバー及びトーションバネによるロック機構が開示されている。
【先行技術文献】
【特許文献】
【０００４】
【特許文献１】特開２０１６−１０９９４４号公報
【発明の概要】
【発明が解決しようとする課題】
【０００５】
しかし特許文献１に記載の発明は、ロックレバーがロック用の爪と操作部を両端に持つシーソー構造となっており、操作時には操作部が支点を中心に回転しながら沈み込む。従って操作部はフードに対して傾きながら沈み込むこととなり、操作部を押す方向と操作部が沈み込む方向が同一ではないため、使用者に違和感を与えていた。
【０００６】
また操作部は支点を中心に回転するため、操作部を押し込む際には操作部とフードとの隙間が操作部全体に対して均一とならない。従って、支点から遠い操作部とフードとの隙間から内部構造が見えてしまい、品位の悪い構成となっていた。
【０００７】
上記課題から本発明は、ロック時の使用感に優れ、使用に係る外観の品位が良いロック機構を備えたレンズフードを提供することを目的とする。
【課題を解決するための手段】
【０００８】
請求項１に記載の発明は、レンズ鏡筒に着脱されるレンズフードであって、複数のガイドを有する操作部材と、前記ガイドが摺動可能に係合する複数のガイド部を有する固定側部材と、前記操作部材と連動する規制部材と、前記規制部材を付勢するコイルバネと、を有し、前記操作部材が押し込まれることで前記規制部材が移動し、前記規制部材が前記コイルバネの付勢力により前記レンズ鏡筒に突き当たることで光軸周りの回転規制を行うことを特徴とするレンズフードである。
【０００９】
請求項２に記載の発明は、前記操作部材は長孔部を有し、前記規制部材は軸部を有し、前記軸部は前記長孔部に挿入されることを特徴とする請求項１に記載のレンズフードである。
【００１０】
請求項３に記載の発明は、前記操作部材を付勢するロックバネを有し、前記ロックバネは前記固定側部材に保持されることを特徴とする請求項１又は請求項２に記載のレンズフードである。
【００１１】
請求項４に記載の発明は、前記ロックバネは前記操作部材を前記コイルバネと略反対方向に常に付勢することを特徴とする請求項１乃至請求項３のいずれかに記載のレンズフードである。
【発明の効果】
【００１２】
本発明によれば、ロック時の使用感に優れ、使用に係る外観の品位が良いロック機構を備えたレンズフードを提供することができる。
【図面の簡単な説明】
【００１３】
【図１】本発明の一実施例における交換レンズを示す斜視図である。
【図２】本発明の一実施例におけるレンズフードを示す斜視図である。
【図３】本発明の一実施例におけるレンズフードを示す分解斜視図である。
【図４】本発明の一実施例におけるロック機構を示す斜視図である。
【図５】本発明の一実施例におけるロックボタンを示す斜視図である。
【図６】本発明の一実施例におけるロック状態の切替を示す断面図である。
【図７】本発明の一実施例におけるロックボタンバネを示す断面図である。
【発明を実施するための形態】
【００１４】
以下、添付の図面に従って、本発明を実施するための最良の形態について説明する。なお、この実施の形態により本発明が限定されるものではない。
【００１５】
図１は本発明の一実施例における交換レンズ１を示す斜視図である。また、図２は本発明の一実施例におけるレンズフード２を示す斜視図である。また、図３は本発明の一実施例におけるレンズフード２を示す分解斜視図である。また、図４は本発明の一実施例におけるロック機構を示す斜視図である。以下、図１、図２、図３、図４を使用してレンズフード２の部材について説明する。
【００１６】
レンズ鏡筒１０は撮像装置に対して交換装着可能であり、内部には中心に光軸を持つ光学素子を備える。また、先端部分にはレンズフード２を装着するための２つのバヨネット部１１を備える。
【００１７】
レンズフード２はレンズ鏡筒１０に対して装着可能であり、フードベース２０、フードカバー３０、ロックレバー４０、コイルバネ５０、ロックボタン６０、ロックボタンバネ７０、締結ビス８０から構成される。
【００１８】
フードベース２０はレンズ鏡筒１０へ不要な光線が入射することを遮るための円筒状部材である。フードベース２０は溝部を備え、溝部がレンズ鏡筒１０のバヨネット部１１と係合することでレンズフード２はレンズ鏡筒１０に装着される。溝部は順方向に取り付ける際にバヨネット部１１と係合する第１溝部２１と、逆方向に取り付ける際にバヨネット部１１と係合する第２溝部２２とが備えられている。また、フードベース２０にはロックボタン６０のガイド６１が係合する２つのガイド部２３が光軸方向に向けて形成され、ロックレバー４０の第１軸部４１が嵌まる不図示の第１軸穴が備えられている。
【００１９】
フードカバー３０はレンズロック機構が組み込まれる部材である。フードベース２０と嵌合し、５つの締結ビス８０によって光軸と平行な方向から固定される。フードカバー３０の内部にはロックレバー４０、コイルバネ５０、ロックボタン６０、ロックボタンバネ７０が組み込まれる。また、フードカバー３０の内部にはロックレバー４０の第２軸部４２が嵌まる第２軸穴３１が、外周部には貫通穴３２が形成されている。また、ロックボタンバネ６０を引掛けて保持するための２つの保持部３３を備えている。
【００２０】
ロックレバー４０は、フードベース２０に形成された第１軸穴に嵌る第１軸部４１、フードカバー３０に形成された第２軸穴３１に嵌る第２軸部４２、及びロックボタン６０の係合穴６２に挿入される第３軸部４３を備え、フードベース２０とフードカバー３０に挟持されている。また、ロックレバー４０は順方向用ロック爪４４と逆方向用ロック爪５４を有し、ロック爪はフードベース２０及びフードカバー３０から外部に露出している。また、ロックレバー４０は当接部４６においてロックボタン６０と当接する。
【００２１】
コイルバネ５０は、ロックレバー４０の第１軸部４１に嵌り、ロックレバー４０を付勢するよう取り付けられる。コイルバネ５０による付勢力によりロックレバー４０の順方向用ロック爪４４あるいは逆方向用ロック爪４５がレンズ鏡筒１０に形成されたバヨネット部１１に突き当たることでレンズフード２の光軸周りの回転の規制および回転方向のガタツキを抑制する。レンズフード２をレンズ鏡筒１０に順方向に取り付けた際には順方向用ロック爪４４が、逆方向に取り付けた際には逆方向用ロック爪４５が突き当る。
【００２２】
図５は本発明の一実施例におけるロックボタン６０を示す斜視図である。ロックボタン６０はレンズフード２のロック状態を解除するための部材である。ロックボタン６０は２つのガイド６１を有し、それぞれのガイド６１はフードベース２０のガイド部２３に摺動可能に係合される。また、ロックボタン６０にはロックレバー４０の第３軸部４３が挿入される長穴形状の係合穴６２が形成されている。なお、本実施例においてはガイド６１を円柱形状としているが、これに限られるものではない。ガイド部２３に摺動するのであれば他の形状としても良い。
【００２３】
ロックボタンバネ７０はロックボタン６０を押し込み方向に付勢するためのバネ部材である。ロックボタンバネ７０はフードカバー３０の２つの保持部３３に保持されており、ロックボタン６０の２つのガイド６１に当接している。
【００２４】
以上が本実施例におけるレンズフード２の部材の説明である。次に、本実施例におけるフードロック機構の説明を行う。レンズフード２の装着は、フードベース２０に備えられた溝部の開口部２５からレンズ鏡筒１０のバヨネット部１１を係合させ、摺動回転させることで行われる。摺動回転の結果バヨネット部１１の一端が溝部の突き当て部２６に当接すると、反対側の一端がロック爪によってロックされ、レンズフード２とレンズ鏡筒１０とは固定される。
【００２５】
図６は本発明の一実施例におけるロック状態の切替を示す断面図である。（ａ）はフードロック機構のロック状態を、（ｂ）はフードロック機構のロック解除状態を示している。図６に示されるようにロックボタン６０が押し込まれ、ロックボタン６０と当接するロックレバー４０が連動し、第１軸部４１及び第２軸部４２を中心として回転することでロック爪のバヨネット部１１に対する突き当りが解除される。なお、ロックボタン６０が押し込まれていない際の位置をロックボタン６０の基準位置と呼称することとする。
【００２６】
ここで、前述したように従来のフードロック機構においては操作部の使用感に課題が存在していた。本発明においてはロックボタン６０をロックレバー４０から別体に独立させ、更にガイド６１を備えることで、ロックボタン６０がフードカバー３０に対して均等に沈み込む構成とした。
【００２７】
ロックボタン６０をロックレバー４０と別体として構成することで、ロックボタン６０の移動はロックレバー４０の回転移動から独立する。従って図６に示されるように、ロックボタン６０は押し込まれる際にロックレバー４０と異なる方向への移動が可能となる。また、係合穴６２を長穴形状としたことで、長穴形状が規制する範囲内でロックボタン６０とロックレバー４０の位置関係が変化可能となっている。
【００２８】
また、ロックボタン６０のガイド６１は、フードベース２０に形成された２つのガイド部２３によって移動方向が光軸方向に規制されている。ここで、ガイド部２３及びガイド６１が２つ備えられていることから、一方のガイド６１はもう一方のガイド６１によって移動が規制される。従って、ロックボタン６０はフードカバー３０に対して傾かず、ガイド部２３に沿って光軸方向に沈み込むこととなる。
【００２９】
以上から、本発明のレンズフード２はロックボタン６０の均等な押し込みを実現したことで、操作感に優れた構成となっている。また、ロックボタン６０が傾くことによる内部構造の露出を避けられた、使用に係る外観の品位が良い構成となっている。
【００３０】
なお、本実施例においてはガイド６１及びガイド部２３の数を２つずつ配置したが、本発明はこれに限られるものではない。ガイド６１及びガイド部２３の数は、互いに移動を規制できるよう複数個ずつ存在すればよい。
【００３１】
次に本発明におけるレンズフード２をレンズ鏡筒１０に装着する際のロックボタン６０について説明する。レンズフード２の装着は、フードベース２０に備えられた溝部の開口部２５からレンズ鏡筒１０のバヨネット部１１を係合させ、摺動回転させることで行われる。ここで、図２に示したように溝部の開口部２５付近にはロック爪が設けられており、摺動回転に際してバヨネット部１１と当接する。従って、レンズフード２が着脱されている最中にはバヨネット部１１が常にロック爪を付勢することとなる。
【００３２】
ロック爪が付勢されると、ロックレバー４０は第１軸部４１及び第２軸部４２を中心として回転し、フードロック機構は図６（ｂ）で示されるロック解除状態となる。また、ロックボタン６０とロックレバー４０は第３軸部４３及び係合穴６２によって係合しているため、ロックレバー４０の回転に伴いロックボタン６０は移動し、基準位置から押し込まれた状態となる。この際、コイルバネ５０はロックボタン６０に対して力量を加えないことから、レンズフード２を装着する最中のロックボタン６０は係合穴６２の規制する範囲で移動可能となり、ガタツキが発生してしまう。
【００３３】
従って、本発明においてはロックボタンバネ７０を設けることで、レンズフード２を着脱する最中のロックボタン６０のガタツキを抑制した。図７は本発明の一実施例におけるロックボタンバネ６０を示す断面図である。（ａ）はロック状態、（ｂ）は着脱状態における位置関係を示している。また、図中に示した白矢印はロックボタンバネ７０によるロックボタン６０への付勢方向を、黒矢印はコイルバネ５０によるロックボタン６０への付勢方向を示している。
【００３４】
ロックボタンバネ７０はロックボタン６０のガイド６１に当接し、ロックボタン６０を押し込み方向に付勢する。また、コイルバネ５０はロックレバー４０を介してロックボタンバネ７０と略反対方向にロックボタン６０を付勢する。ここで、コイルバネ５０による付勢力はロックボタンバネ７０による付勢力より大きく設定されている。従ってロック状態においてはロックボタンバネ７０による付勢力でロックボタン６０は基準位置で固定され、それに伴いロックボタンバネ７０はフードカバー３０の形状に沿って撓む。
【００３５】
一方、着脱状態においてコイルバネ５０はロックボタン６０に対して付勢力を発生させず、ロックボタン６０に作用する力はロックボタンバネ７０による付勢力のみとなる。従ってロックボタン６０はロックボタンバネ７０から均一に付勢され、レンズフード２の着脱最中においてもロックボタン６０のガタツキは発生しなくなる。なお、ロックボタンバネ７０は変形していない状態において、押し込まれたロックボタン６０のガイド６１と当接するようにフードカバー３０内に配置されている。
【００３６】
以上から、本発明は別体としたロックボタン６０をロックボタンバネ７０で常に付勢することで、レンズフードロック時のみならず、レンズフード着脱最中におけるロックボタン６０のガタツキを抑制可能な構成とした。
【００３７】
なお、本発明にかかるレンズ鏡筒は、本発明が適用される撮像装置に応じて適宜変形、及び拡大縮小される。また、必要に応じて、装置の外寸法の変更による外観の変化、部材間の結合位置など、種々の変形や変更が可能であるが、いずれも本発明の均等の範囲内である。
【符号の説明】
【００３８】
１      交換レンズ
２      レンズフード
１０    レンズ鏡筒
１１    バヨネット部
２０    フードベース
２１    第１溝部
２２    第２溝部
２３    ガイド部
２５    開口部
２６    付き当て部
３０    フードカバー
３１    第２軸穴
３２    貫通穴
３３    保持部
４０    ロックレバー
４１    第１軸部
４２    第２軸部
４３    第３軸部
４４    順方向用ロック爪
４５    逆方向用ロック爪
４６    当接部
５０    コイルバネ
６０    ロックボタン
６１    ガイド
６２    係合穴
７０    ロックボタンバネ
８０    締結ビス
【図１】
2020042109.tif 000003
【図２】
2020042109.tif 000004
【図３】
2020042109.tif 000005
【図４】
2020042109.tif 000006
【図５】
2020042109.tif 000007
【図６】
2020042109.tif 000008
【図７】
2020042109.tif 000009